(57)【要約】【課題】負荷状態に対してモジュレータの出力を変更し、且つ待機損耗を減らしライトロード効率を向上させるための位相シフト式フルブリッジ電源転換システム。【解決手段】位相シフト式フルブリッジ電源転換システムであって、電源コンバータと、制御器と、負荷状態検知モジュールと、切り替え制御器と、スイッチモジュールと、命令生成モジュールと、比較器及びモジュレーション・モジュールと、を含み、前記負荷状態検知モジュールは、電源コンバータ及び切り替え制御器とインターフェースし、電源コンバータの負荷パラメータ資料を検知し、これを出力して切り替え制御器によって状態の切り替えを行い、前記制御器は比較器から出力された出力電圧と命令電圧の誤差値を取得した後、誤差値によってデューティサイクルを計算すると共に、デューティサイクル・パラメータによってパルスウェーブ制御信号を生成して駆動モジュールへ入力し、駆動制御を行う。【選択図】図１
2011151949.tif 000002
【特許請求の範囲】
【請求項１】
位相シフト式フルブリッジ電源転換システムであって、
電源コンバータと、負荷状態検知モジュールと、切り替え制御器と、スイッチモジュールと、命令生成モジュールと、比較器と、制御器と、モジュレーション・モジュールと、を含み、
前記電源コンバータは、負荷状態検知モジュール、第二スイッチ素子及び比較器とインターフェースし、入力電圧を出力電圧に転換し、
前記負荷状態検知モジュールは、電源コンバータ及び切り替え制御器とインターフェースし、電源コンバータから出力されたパラメータを負荷パラメータ資料に転換し、切り替え制御器へ出力し、
前記切り替え制御器は、負荷状態検知モジュールと、第一スイッチ素子及び第二スイッチ素子とインターフェースし、前記切り替え制御器は、負荷パラメータ資料によって負荷状態を判断すると共に、第一スイッチ素子及び第二スイッチ素子を制御し、
前記スイッチモジュールは、第一スイッチ素子及び第二スイッチ素子を含み、
前記命令生成モジュールは、第一スイッチ素子とインターフェースし、且つ電圧命令を生成し、
前記比較器は、電源コンバータと、第一スイッチ素子及び制御器とインターフェースし、電源コンバータの出力電圧と命令生成モジュールから出力された参考電圧を比較して誤差値を算出し、
前記制御器は、比較器及びモジュレーション・モジュールとインターフェースする。前記制御器は、比較器から出力された誤差値に基づいて、デューティサイクル・パラメータを計算し、
前記モジュレーション・モジュールは、制御器及び第二スイッチ素子とインターフェースし、モジュレーション信号を生成させ、更に電源コンバータの駆動ユニットへ入力することによって、駆動制御を行うことを特徴とする、
位相シフト式フルブリッジ電源転換システム。
【請求項２】
前記電源コンバータから出力されるパラメータは出力電流、スイッチ素子電流、インダクタンス電流、出力電圧及びデューティサイクルなどのパラメータ資料であることを特徴とする請求項１に記載の位相シフト式フルブリッジ電源転換システム。
【請求項３】
前記負荷状態検知モジュールは、負荷パラメータ資料の依存特性を有するフィードバック回路を採用してフロントエンド入力回路とすることを特徴とする請求項１に記載の位相シフト式フルブリッジ電源転換システム。
【請求項４】
前記命令生成モジュールには、待機電圧命令生成器及び定電圧命令生成器を含み、待機電圧命令及び定電圧命令を生成することを特徴とする請求項１に記載の位相シフト式フルブリッジ電源転換システム。
【請求項５】
前記モジュレーション・モジュールは、パルスワイズ・モジュレーション信号生成器及び位相シフト・モジュレーション信号生成器を含み、パルスワイズ・モジュレーション信号及び位相シフト・モジュレーション信号を生成することを特徴とする請求項１に記載の位相シフト式フルブリッジ電源転換システム。
【請求項６】
前記切り替え制御器は、アナログ制御器或いはデジタル制御器などの制御回路で組成されることを特徴とする請求項１に記載の位相シフト式フルブリッジ電源転換システム。
【請求項７】
前記制御器は、アナログ制御器或いはデジタル制御器などの制御回路で組成されてよいことを特徴とする請求項１に記載の位相シフト式フルブリッジ電源転換システム。
【請求項８】
前記モジュレーション・モジュールは、アナログ回路或いはデジタル回路などパルスワイズ及び位相シフト制御を生成できる回路によって組成されてよいことを特徴とする請求項１に記載の位相シフト式フルブリッジ電源転換システム。
【請求項９】
位相シフト式フルブリッジ電源転換システムの制御方法であって、
負荷状態検知回路により、直接或いは間接的に電源コンバータの出力パラメータ資料を取得すると共に、負荷パラメータ資料を出力して切り替え制御器を制御するステップと、
前記切り替え制御器により、負荷パラメータ資料によって負荷状態を判断すると共に、第一スイッチ素子及び第二スイッチ素子を制御し、電源コンバータの切り替え模式を変更させるステップと、を含み、
制御器は、比較器によって出力電圧と命令信号の誤差値を取得し、更に前記誤差値からデューティサイクル・パラメータを計算すると共にモジュレーション・モジュールへ入力してモジュレーション信号を生成し、駆動制御を行う、
位相シフト式フルブリッジ電源転換システムの制御方法。
【請求項１０】
前記負荷状態が待機である場合、電源コンバータは待機切り替え模式で操作され、第一スイッチ素子及び第二スイッチ素子は何れも開いており、命令生成モジュールでは待機電圧命令が生成され、前記モジュレーション・モジュールは、パルスワイズ・モジュレーション制御信号を生成して電源コンバータの駆動ユニットへ与えることを特徴とする請求項９に記載の位相シフト式フルブリッジ電源転換システムの制御方法。
【請求項１１】
前記待機電圧命令の生成は、電圧命令を変更することによって出力電圧の上限及び下限へ達し、制御器のデューティサイクル・パラメータによってモジュレーション・モジュールの切り替え開始及び切り替え停止時間を決定する事を特徴とする請求項１０に記載の位相シフト式フルブリッジ電源転換システムの制御方法。
【請求項１２】
前記負荷状態がライトロード状態の場合、電源コンバータはライトロード切り替え模式で操作され、第一スイッチ素子は閉じており、第二スイッチ素子は開いており、命令生成モジュールは定電圧命令を生成し、前記モジュレーション・モジュールは、パルスワイズ・モジュレーション制御信号を生成して電源コンバータの駆動ユニットへ与えることを特徴とする請求項９に記載の位相シフト式フルブリッジ電源転換システムの制御方法。
【請求項１３】
前記負荷状態がヘビーロード状態の場合、電源コンバータはヘビーロード切り替え模式で操作され、第一スイッチ素子及び第二スイッチ素子は何れも閉じており、命令生成モジュールは定電圧命令を生成し、前記モジュレーション・モジュールは、位相シフト式モジュレーション信号を生成して電源コンバータの駆動ユニットへ与えることを特徴とする請求項９に記載の位相シフト式フルブリッジ電源転換システムの制御方法。
【請求項１４】
前記負荷状態間の転換点は効率及びゼロ電圧切り替え時間点を含むことを特徴とする請求項９に記載の位相シフト式フルブリッジ電源転換システムの制御方法。
【請求項１５】
前記負荷パラメータ資料は、負荷と依存特性を有する信号のフィードバックによって取得され、そして依存特性の信号は出力電流、スイッチ素子電流、インダクタンス電流、出力電圧及びデューティサイクル・パラメータなどのパラメータ資料であることを特徴とする請求項９に記載の位相シフト式フルブリッジ電源転換システムの制御方法。
【発明の詳細な説明】
【技術分野】
【０００１】
本発明は、位相シフト式フルブリッジ電源転換システム及びその制御方法、特に、出力負荷状態により切り替え制御方法を判断することによって、電源システムの効率を最適化する方法に関するものである。
【背景技術】
【０００２】
近年来、地球温暖化問題のため、各国では転換器の効率を向上させ、ＣＯ2の排出量を下げようと努力している。
統計によると、一般家庭では、平均２０個の装置が不使用状態下で電力を浪費し続けている。そして、浪費されている電力は総電気料金の５〜１０％を占めている。又これらの消耗は、設備の待機動作を維持するための電源消耗のほか、更に設備内部で交流を直流に変える電源コンバータの消耗も含んでいる。
その為、電源コンバータ待機中の消耗を減らすことは、非常に大事なことである。
【０００３】
電源コンバータは、異なる負荷条件によって、シングル・ステージ或いはマルチ・ステージの電源システム設計に分けられる。
低ワット数の設備においては、シングル・ステージの電源設計が使用され、よく見かける低ワット数シングル・ステージ電源コンバータには、逆回り式、順回り式、半ブリッジ式などのシングル・ステージ式電源コンバータがある。
中高ワット数の設備では、パワー因数が低すぎる問題があるため、一般ではツーステージの電源設計を採用する。第一ステージは、ＡＣ／ＤＣパワー因数修正器で、パワー因数を改善して単位パワー因数に近づけるために使われる。第二ステージは、フルブリッジ位相シフト式ＤＣ／ＤＣ転換器で、高効率で安定した直流電圧を提供する。
しかし、ツーステージ電源システムが待機状態にある場合、消耗を抑えるため、第一ステージは切り替えを停止するが、電源システムは依然安定した直流電圧を出力して負荷を供給しなければならず、従って第二ステージは引き続き切り替えを行わなければならない。
このとき、大部分の待機消耗は第二ステージ・フルブリッジ位相シフト式ＤＣ／ＤＣ転換器において生じる。
しかし、位相シフト式フルブリッジ転換器はライトロード条件下でゼロ電圧切り替えを行うことは出来ない。そのため、ライトロード時に依然位相制御を使用すると余分のエネルギー損耗を招く。
【０００４】
これによって分かるように、上述従来の方式には、尚幾多の欠点があり、よい設計とは言いがたく、改良がまたれていた。
本発明者は、上述従来方式に派生する各項の欠点に鑑み、極力新規改善を試み、且つ長年苦心研鑽の末、ついに本件位相シフト式フルブリッジ電源転換システム及びその制御方法の研究開発に成功した。
【発明の概要】
【発明が解決しようとする課題】
【０００５】
本発明の目的は、負荷状態に対してモジュレータの出力を変更する方法及び装置を提供し、且つ待機損耗を減らしライトロード効率を向上させるための位相シフト式フルブリッジ電源転換システム及びその制御方法を提供することにある。
本発明の次の目的は、ライトロード時に依然位相シフト制御を使用すると余分のエネルギー損耗を招く問題を解決するため、位相シフト式フルブリッジ電源転換システム及びその制御方法を提供することにある。若し、電源転換システムが異なる負荷状態に対してモジュレータの出力を変更できれば、有効にフルブリッジ転換器の効率を改善できる。
【課題を解決するための手段】
【０００６】
上述発明の目的を達成できる位相シフト式フルブリッジ電源転換システム及びその制御方法は、電源コンバータと、制御器と、負荷状態検知モジュールと、切り替え制御器と、スイッチモジュールと、命令生成モジュールと、比較器及びモジュレーション・モジュールと、を含む。前記負荷状態検知モジュールは、電源コンバータ及び切り替え制御器とインターフェースされている。従って前記負荷状態検知モジュールが電源コンバータの負荷パラメータ資料を取得すると、切り替え制御器へ出力する。そして前記切り替え制御器は、負荷パラメータ資料によって負荷状態（待機、ライトロード及びヘビーロードの三種状態）を判断すると共にスイッチモジュールを制御し、電源コンバータの切り替え模式を変更（待機、ライトロード及びヘビーロードの三種状態）する。又、前記制御器は比較器から出力された出力電圧と命令電圧との誤差値を取得すると、誤差値によってデューティサイクルを計算し、且つデューティサイクル・パラメータによってパルスウェーブ制御信号を生成し、電源コンバータへ入力して駆動制御を行う。
【発明の効果】
【０００７】
１．本発明に係る位相シフト式フルブリッジ電源転換システム及びその制御方法は、位相シフト式フルブリッジ電源転換システムを改善し、且つ異なる負荷条件に対して切り替え制御を変更できるので、転換器の効率を最適化することが出来る。
２．本発明に係る位相シフト式フルブリッジ電源転換システム及びその制御方法は、異なる負荷状態に対してモジュレータの模式を変更するので、位相シフト式フルブリッジ電源転換システムにおいて待機損耗（環流損失及び駆動損失）を減らし、ライトロード効率を向上させることに役立つ。
【図面の簡単な説明】
【０００８】
【図１】本発明に係る位相シフト式フルブリッジ電源転換システムの構築図である。
【図２】本発明に係る位相シフト式フルブリッジ電源転換システムの電気回路略図である。
【図３】本発明に係る位相シフト式フルブリッジ電源転換システムの実施例図である。
【図４】本発明に係る位相シフト式フルブリッジ電源転換システムの切り替え模式転換図である。
【図５Ａ】本発明に係る位相シフト式フルブリッジ電源転換システム及びその制御方法における待機切り替え模式下のスイッチＱ１〜Ｑ４駆動波形図である。
【図５Ｂ】本発明に係る位相シフト式フルブリッジ電源転換システム及びその制御方法におけるライトロード切り替え模式下のスイッチＱ１〜Ｑ４駆動波形図である。
【図５Ｃ】本発明に係る位相シフト式フルブリッジ電源転換システム及びその制御方法におけるヘビーロード切り替え模式下のスイッチＱ１〜Ｑ４駆動波形図である。
【図６】本発明に係る位相シフト式フルブリッジ電源転換システム及びその制御方法における待機電圧命令生成とパルスワイズ・モジュレーションの関係波形図である。
【図７】本発明に係る位相シフト式フルブリッジ電源転換システム及びその制御方法における定電圧命令生成とパルスワイズ・モジュレーションの関係波形図である。
【発明を実施するための形態】
【０００９】
[実施例]
図１及び図２は、本発明に係る位相シフト式フルブリッジ電源転換システム及びその制御方法における位相シフト式フルブリッジ電源転換システムの構築図及び電気回路略図であり、電源コンバータ１と、負荷状態検知モジュール２と、切り替え制御器３と、スイッチモジュール４と、命令生成モジュール５と、比較器６と、制御器７と、モジュレーション・モジュール８と、を含む。
【００１０】
前記電源コンバータ１は、負荷状態検知モジュール２、第二スイッチ素子４２及び比較器６とインターフェースし、入力電圧を出力電圧に転換する。前記電源コンバータ１には、駆動ユニットと、四つの前記駆動ユニットの駆動によって導通及び停止するスイッチ素子と、スイッチ素子にカプリングしたインダクタンスと、二次側にカプリングした変圧器と、変圧器の二次側にカプリングした整流電気回路と、整流電気回路にカプリングした出力フィルターと、を含む。
【００１１】
前記負荷状態検知モジュール２は、電源コンバータ１及び切り替え制御器３とインターフェースし、電源コンバータ１から出力されたパラメータ（例えば、出力電流、スイッチ素子電流、インダクタンス電流、出力電圧及びデューティサイクルなどのパラメータ資料）を負荷パラメータ資料に転換し、切り替え制御器３へ伝送することが出来るので、前記負荷状態検知モジュール２は負荷パラメータ資料と相互依存特性を有するフィードバック電気回路を採用してフロントエンドの入力回路とすることが出来る。
又、前記負荷状態検知モジュール２は、電源コンバータ１から出力されたパラメータに基づいて、電気回路設計を行うことによって、負荷パラメータ資料を出力することが出来る。
そして、前記負荷パラメータ資料は、切り替え制御器３に負荷状態を判断させることの出来るパラメータ資料である（若し、負荷パラメータ資料が電圧である場合、切り替え制御器３は電圧レベルから負荷状態を判断できる）。
【００１２】
前記切り替え制御器３は、負荷状態検知モジュール２と、第一スイッチ素子４１及び第二スイッチ素子４２とインターフェースし、前記切り替え制御器３は、負荷パラメータ資料によって負荷状態を判断すると共に、第一スイッチ素子４１及び第二スイッチ素子４２を制御し、電源コンバータ１の切り替え模式（待機、ライトロード及びヘビーロード三種の切り替え模式）を変更させることが出来る。前記切り替え制御器３は、アナログ制御器或いはデジタル制御器などの制御電気回路で組成されてよい。
【００１３】
前記スイッチモジュールは、第一スイッチ素子４１及び第二スイッチ素子４２を含み、前記第一スイッチ素子４１は、切り替え制御器３と、命令生成モジュール５及び比較器６とインターフェースし、第一スイッチ素子が開いたときは、待機電圧命令生成器５１と比較器６を連結させ、第一スイッチ素子４１が閉じたときは、定電圧命令生成器５２と比較器６を連結させる。又、前記第二スイッチ素子４２は、電源コンバータ１と、切り替え制御器３及びモジュレータモジュール８とインターフェースし、第二スイッチ素子４２が開いたときは、パルスワイズ・モジュレーション信号生成器８１と電源コンバータ１を連結させる。第二スイッチ素子４２が閉じたときは、位相シフト・モジュレーション信号生成器８２と電源コンバータ１を連結させる。
【００１４】
前記命令生成モジュール５は、待機電圧命令生成器５１及び定電圧命令生成器５２を含み、そして前記命令生成モジュール５は、第一スイッチ素子４１とインターフェースし、且つ二種類の電圧命令（待機電圧命令、定電圧命令）を生成する。待機電圧命令は待機時の電圧命令を生成して、待機中の損耗を軽減するためであり、定電圧命令は、固定電圧命令を生成して出力を固定電圧に安定させるためである。又、前記切り替え制御器はアナログ制御器或いはデジタル制御器などの制御電気回路で組成されてよい。
【００１５】
前記比較器６は、電源コンバータ１と、第一スイッチ素子４１及び制御器７とインターフェースし、電源コンバータ１の出力電圧Ｖoutと命令生成モジュール５から出力された参考電圧Ｖrefを比較して誤差値を算出する。
【００１６】
前記制御器７は、比較器６及びモジュレーション・モジュール８とインターフェースする。前記制御器７は、比較器６から出力された誤差値に基づいて、デューティサイクル・パラメータＤを計算してモジュレーション・モジュール８のためにパルスウェーブ制御信号を生成して与え、駆動制御を行う。又、前記制御器７は、アナログ制御器或いはデジタル制御器などの制御電気回路で組成されてよい。
【００１７】
前記モジュレーション・モジュール８は、パルスワイズ・モジュレーション信号生成器８１及び位相シフト・モジュレーション信号生成器８２を含み、前記モジュレーション・モジュール８は、制御器７及び第二スイッチ素子４２とインターフェースし、二種類のモジュレーション信号（パルスワイズ・モジュレーション信号及び位相モジュレーション信号）を生成させ、更に電源コンバータ１の駆動ユニットへ入力することによって、四つのスイッチ素子の導通と停止を制御する。又、前記モジュレーション・モジュールは、アナログ回路或いはデジタル回路などのパルスワイズ及び位相シフト制御を生成できる電気回路で組成されてよい。
【００１８】
図３は、本発明に係る位相シフト式フルブリッジ電源転換システム及びその制御方法の位相シフト式フルブリッジ電源転換システムの実施例図であり、前記位相シフト式フルブリッジ電源転換システムは、切り替え制御によって待機損耗を減らし、ライトロード効率を向上させる機能を達成するもので、その制御方法は、
（１）前記負荷状態検知モジュール２は、直接或いは間接的に電源コンバータ１から出力されたパラメータ資料（出力電流Ｉout）を取得でき、且つ更に出力電圧（負荷パラメータ資料）を出力して前記切り替え制御器３を制御する。
（２）前記切り替え制御器３は、負荷パラメータ資料を取得した後、出力電圧から負荷状態を判断し、且つ第一スイッチ素子Ｓ1及び第二スイッチ素子Ｓ2を制御することによって、電源コンバータ１の切り替え模式を変更することが出来る（前記出力電圧は、負荷と依存特性のある信号のフィードバックによって取得される）。
（３）負荷状態が待機の時は、電源コンバータ１は待機切り替え模式で操作される。従って第一スイッチ素子Ｓ1及び第二スイッチ素子Ｓ2は何れも開いている。そして、前記命令生成モジュール５は待機電圧命令を生成する。又、前記モジュレーション・モジュール８は、パルスワイズ・モジュレーション制御信号を生成して電源コンバータ１の駆動ユニットへ与える（制御器７は、比較器６によって前記出力電圧と命令信号の誤差値を取得し、更に前記誤差値からデューティサイクル・パラメータＤを計算すると共に、モジュレーション・モジュール８へ入力し、モジュレーション信号を生成させ、駆動制御を行う）。
（４）負荷がライトロード状態まで増加すると、電源コンバータ１はライトロード切り替え模式で操作される。従って第一スイッチ素子Ｓ1は閉じ、第二スイッチ素子Ｓ2は開いた状態であり、そして前記命令生成モジュール５にて定電圧命令を生成する。又、前記モジュレーション・モジュール８は、パルスワイズ・モジュレーション制御信号を生成して電源コンバータ１の駆動ユニットへ与える。と言うのは、ライトロードでは、位相シフト式フルブリッジ・コンバータはゼロ電圧切り替えを達成できず、しかも余分の環流損失及び駆動損失を招くからである。
（５）負荷がへビーロード状態まで増加すると、電源コンバータ１はへビーロード切り替え模式で操作される。従って第一スイッチ素子Ｓ1及び第二スイッチ素子Ｓ2は何れも閉じている。そして前記命令生成モジュール５は定電圧命令を生成する。又、前記モジュレーション・モジュール８は、パルスワイズ・モジュレーション制御信号を生成して電源コンバータ１の駆動ユニットへ与える。ヘビーロードでは、一次側素子は全てゼロ電圧切り替えを達成できるので、切り替え損失を減少でき、且つ電源システムの効率を向上させることができる。切り替え制御器の開閉状態は表一に示すとおりである。
【００１９】
【表１】
2011151949.tif 000003
表１  切り替え制御器の開閉状態
【００２０】
図４は、本発明に係る位相シフトフルブリッジ電源転換システム及びその制御方法の切り替え模式転換図である。図から分かるように、異なる負荷条件下での切り替え模式は、待機切り替え模式と、ライトロード切り替え模式及びヘビーロード切り替え模式に分けられる（前記三種類の負荷状態間の転換点は、効率及びゼロ電圧切り替え時間点を含む）、三種類の切り替え模式の転換状況は下記の通りである。
（１）  負荷状態が待機である場合、待機切り替え模式を使用。
（２）  負荷が増加した場合、最適効率点によってヘビーロード切り替え模式へ転ずるタイミングを決定する（効率の定義は、入力パワーで出力パワーを割る）、ライトロード状態である場合、ライトロード状態の切り替え方式はヘビーロード状態の切り替え方式より比較的高い効率が得られる。
（３）  これに反し、ヘビーロード状態の場合、ヘビーロード状態の切り替え方式はライトロード状態の切り替え方式より比較的高い効率が得られる。
【００２１】
図５Ａから図５Ｃまでは、本発明に係る位相シフト式フルブリッジ電源転換システム及びその制御方法の異なる切り替え模式下でのスイッチＱ１〜Ｑ４駆動波形図であり、それぞれ待機、ライトロード及びヘビーロード状態の切り替え方式であり、好ましい実施例の異なる切り替え模式下でのスイッチＱ１〜Ｑ４駆動波形図を説明している。
【００２２】
図６は、本発明係る位相シフト式フルブリッジ電源転換システム及びその制御方法の待機電圧命令生成とパルスワイズ・モジュレーションとの関係波形図である。
前記待機電圧命令の生成は、フィードバック電圧の状態によって電圧命令を出力電圧上限或いは下限に変更させ、フィードバック電圧が出力電圧の上限に達した場合、電圧命令は出力電圧の下限へ変更される。
フィードバック電圧が出力電圧の下限に達した場合、電圧命令は出力電圧の上限へ変更され、この方式によって、制御器が計算したデューティサイクル・パラメータはフィードバック電圧が出力電圧の上限に達したとき、モジュレーション・モジュールが切り替えを停止する。
フィードバック電圧が出力電圧の下限に達した場合、モジュレーション・モジュールは切り替えを開始する（待機状態のとき、モジュレーション・モジュールはある期間切り替えたあと、その期間内で切り替えを停止する。その後、再び切り替えを開始、この動作を繰り返す）。
待機電圧命令は、有効に待機損失を改善できるので、待機損失を減らすことが出来る。
【００２３】
図７は、本発明に係る位相シフト式フルブリッジ電源転換システム及びその制御方法の定電圧命令生成とパルスワイズ・モジュレーションとの関係波形図である。
負荷がライトロード状態に増加した場合（負荷電流が比較的小さい）及びヘビーロード状態（負荷電流が比較的大きい）のときは、切り替えて定電圧命令を生成する。
そして、前記定電圧命令は、固定電圧命令（固定した電圧参考値）を生成するためであり、出力を固定電圧に安定させ、更に制御器によってデューティサイクル・パラメータを算出し（前記デューティサイクルは、フィードバック出力電圧と命令電圧を比較した後、制御記を経由して得られる）、モジュレーション・モジュールへ入力される。
そして、前記モジュレーション・モジュールは、ずっと切り替えを進行させ、待機状態切り替え模式とは大いに異なる。
【００２４】
上記詳細な説明は、本発明の実行可能な実施例の具体的説明であり、但し前記実施例は本案発明の特許請求範囲を制限するものではなく、凡そ本発明の技芸精神を逸脱せずになされる等価実施或いは変更は、全て本案の特許請求範囲に含まれるものとする。
【符号の説明】
【００２５】
１  電源コンバータ
２  負荷状態検知モジュール
３  切り替え制御器
４１  第一スイッチ素子
４２  第二スイッチ素子
５  命令生成モジュール
５１  待機電圧命令生成器
５２  定電圧命令生成器
６  比較器
７  制御器
８  モジュレーション・モジュール
８１  パルスワイズ・モジュレーション信号生成器
８２  位相シフト・モジュレーション信号生成器
【図１】
2011151949.tif 000004
【図２】
2011151949.tif 000005
【図３】
2011151949.tif 000006
【図４】
2011151949.tif 000007
【図５Ａ】
2011151949.tif 000008
【図５Ｂ】
2011151949.tif 000009
【図５Ｃ】
2011151949.tif 000010
【図６】
2011151949.tif 000011
【図７】
2011151949.tif 000012